(57)【要約】      （修正有）【課題】不使用時において、左右の側板及び後板を折り畳むことにより底板、左右の側板、後板の四部材を略平板状に折り畳むことができ、枠本体の嵩張りを防いで収納保管スペースを軽減することができ、コンパクトに収納保管することができ、不使用時の枠本体の収納保管を容易に行うことができ使用の利便性を向上することができる収納ケースを提供する。【解決手段】枠本体１と、天板体２と、引出体とからなり、枠本体の底板１ａの上面に枠本体の左右の側板１ｂが枠本体の底板の上面に沿って折り畳まれると共に枠本体の底板の底面に枠本体の後板１ｃが枠本体の底板の底面に沿って折り畳まれ、天板体の上面の前部及び後部に凹状溝部５が形成され、枠本体の底板の底面に凹状溝部に嵌合可能な嵌合凸部が形成され、枠本体の底板の前端部及び左右の側板の各前端部に着脱自在に嵌合可能な四角枠状の補強枠４を設けてなる。【選択図】図３
0003224228.tif 000002
【実用新案登録請求の範囲】
【請求項１】
底板、左右の側板、後板からなる前面及び上面が開口した合成樹脂製の枠本体と、該枠本体の上面を覆う天板体と、該枠本体及び天板体からなる本体の前面の開口部を介して引出収納自在に設けられ、底板、前板、左右の側板、後板からなる上面が開口した合成樹脂製の引出体とからなり、上記枠本体の上記底板の左右辺部に上記枠本体の左右の側板が起立状態と該枠本体の底板の上面に沿った倒伏状態とに折畳自在に配置され、かつ、上記枠本体の底板の後辺部に上記枠本体の後板が起立状態と該枠本体の底板の底面に沿った倒伏状態とに折畳自在に配置され、上記枠本体の底板の上面に枠本体の左右の側板が枠本体の底板の上面に沿って折り畳まれると共に枠本体の底板の底面に枠本体の後板が枠本体の底板の底面に沿って折り畳まれ、上記天板体の上面の前部及び後部に凹状溝部が形成され、上記枠本体の底板の底面に該凹状溝部に嵌合可能な嵌合凸部が形成され、さらに、上記枠本体の上記底板の前端部及び上記左右の側板の各前端部に着脱自在に嵌合可能な四角枠状の補強枠を設けてなることを特徴とする収納ケース。
【請求項２】
上記引出体の上記底板の左右辺部に上記引出体の左右の側板が起立状態と該引出体の底板の上面に沿った倒伏状態とに折畳自在に配置され、かつ、上記引出体の底板の後辺部に上記引出体の後板が起立状態と該引出体の底板の上面に沿った倒伏状態とに折畳自在に配置され、さらに、上記引出体の底板の前辺部に上記引出体の前板が起立状態と該引出体の底板の上面に沿った倒伏状態とに折畳自在に配置され、上記引出体の底板の上面に上記引出体の左右の側板が該引出体の底板の上面に沿って折り畳まれると共に該引出体の底板の上面に沿って折り畳まれた上記引出体の左右の側板の上面に上記引出体の前板及び後板が該引出体の底板の上面に沿って折り畳まれてなることを特徴とする請求項１記載の収納ケース。
【請求項３】
底板、左右の側板、後板からなる前面及び上面が開口した上下に積み重ね可能な複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、底板、前板、左右の側板、後板からなる上面が開口した複数個の合成樹脂製の引出体とからなり、上記各枠本体の上記底板の左右辺部に上記枠本体の左右の側板が起立状態と該枠本体の底板の上面に沿った倒伏状態とに折畳自在に配置され、かつ、上記各枠本体の底板の後辺部に上記枠本体の後板が起立状態と該枠本体の底板の底面に沿った倒伏状態とに折畳自在に配置され、上記各枠本体の底板の上面に枠本体の左右の側板が枠本体の底板の上面に沿って折り畳まれると共に枠本体の底板の底面に枠本体の後板が枠本体の底板の底面に沿って折り畳まれ、上記天板体の上面の前部及び後部に凹状溝部が形成され、上記各枠本体の底板の底面に該凹状溝部に嵌合可能な嵌合凸部が形成され、さらに、上記各枠本体の上記底板の前端部及び上記左右の側板の各前端部に着脱自在に嵌合可能な四角枠状の補強枠を設けてなることを特徴とする収納ケース。
【請求項４】
上記各引出体の底板の左右辺部に上記引出体の左右の側板が起立状態と該引出体の底板の上面に沿った倒伏状態とに折畳自在に配置され、かつ、上記各引出体の底板の後辺部に上記引出体の後板が起立状態と該引出体の底板の上面に沿った倒伏状態とに折畳自在に配置され、さらに、上記各引出体の底板の前辺部に上記引出体の前板が起立状態と該引出体の底板の上面に沿った倒伏状態とに折畳自在に配置され、上記各引出体の底板の上面に上記引出体の左右の側板が該引出体の底板の上面に沿って折り畳まれると共に該引出体の底板の上面に沿って折り畳まれた上記引出体の左右の側板の上面に上記引出体の前板及び後板が該引出体の底板の上面に沿って折り畳まれてなることを特徴とする請求項３記載の収納ケース。
【考案の詳細な説明】
【技術分野】
【０００１】
本考案は、例えば一般家庭に設置されて衣類や各種小物類等を整理収納する際に用いられる収納ケースに関するものである。
【背景技術】
【０００２】
従来、この種の収納ケースとして、底板、左右の側板、後板からなる前面及び上面が開口した合成樹脂製の枠本体と、枠本体の上面を覆う天板体と、枠本体及び天板体からなる本体の前面の開口部を介して引出収納自在に設けられ、底板、左右の側板、後板、前板からなる上面が開口した合成樹脂製の引出体とからなる構造のものが知られている。
【先行技術文献】
【特許文献】
【０００３】
【特許文献１】特許第６４９０１１１号
【考案の概要】
【考案が解決しようとする課題】
【０００４】
しかしながらこれら従来構造の場合、上記底板、左右の側板、後板からなる前面及び上面が開口した合成樹脂製の枠本体にあっては、左右の側板は底板の上面に沿って折畳自在に設けられ、後板は底板の底面に沿って折畳自在に設けられ、しかして、四部材を略平板状に折り畳むことができ、運搬時や保管時の利便性を高めることができるものの、左右の側板は底板の左右辺部に起立状態となり、底板及び左右の側板は全体としてコ形状となり、左右の側板が倒伏するおそれがあり、枠本体全体の起立状態の安定性が低下することがあるという不都合を有している。
【課題を解決するための手段】
【０００５】
本考案はこれらの不都合を解決することを目的とするもので、本考案のうちで、請求項１記載の考案は、底板、左右の側板、後板からなる前面及び上面が開口した合成樹脂製の枠本体と、該枠本体の上面を覆う天板体と、該枠本体及び天板体からなる本体の前面の開口部を介して引出収納自在に設けられ、底板、前板、左右の側板、後板からなる上面が開口した合成樹脂製の引出体とからなり、上記枠本体の上記底板の左右辺部に上記枠本体の左右の側板が起立状態と該枠本体の底板の上面に沿った倒伏状態とに折畳自在に配置され、かつ、上記枠本体の底板の後辺部に上記枠本体の後板が起立状態と該枠本体の底板の底面に沿った倒伏状態とに折畳自在に配置され、上記枠本体の底板の上面に枠本体の左右の側板が枠本体の底板の上面に沿って折り畳まれると共に枠本体の底板の底面に枠本体の後板が枠本体の底板の底面に沿って折り畳まれ、上記天板体の上面の前部及び後部に凹状溝部が形成され、上記枠本体の底板の底面に該凹状溝部に嵌合可能な嵌合凸部が形成され、さらに、上記枠本体の上記底板の前端部及び上記左右の側板の各前端部に着脱自在に嵌合可能な四角枠状の補強枠を設けてなることを特徴とする収納ケースにある。
【０００６】
又、請求項２記載の考案は、上記引出体の上記底板の左右辺部に上記引出体の左右の側板が起立状態と該引出体の底板の上面に沿った倒伏状態とに折畳自在に配置され、かつ、上記引出体の底板の後辺部に上記引出体の後板が起立状態と該引出体の底板の上面に沿った倒伏状態とに折畳自在に配置され、さらに、上記引出体の底板の前辺部に上記引出体の前板が起立状態と該引出体の底板の上面に沿った倒伏状態とに折畳自在に配置され、上記引出体の底板の上面に上記引出体の左右の側板が該引出体の底板の上面に沿って折り畳まれると共に該引出体の底板の上面に沿って折り畳まれた上記引出体の左右の側板の上面に上記引出体の前板及び後板が該引出体の底板の上面に沿って折り畳まれてなることを特徴とするものである。
【０００７】
又、請求項３記載の考案は、底板、左右の側板、後板からなる前面及び上面が開口した上下に積み重ね可能な複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、底板、前板、左右の側板、後板からなる上面が開口した複数個の合成樹脂製の引出体とからなり、上記各枠本体の上記底板の左右辺部に上記枠本体の左右の側板が起立状態と該枠本体の底板の上面に沿った倒伏状態とに折畳自在に配置され、かつ、上記各枠本体の底板の後辺部に上記枠本体の後板が起立状態と該枠本体の底板の底面に沿った倒伏状態とに折畳自在に配置され、上記各枠本体の底板の上面に枠本体の左右の側板が枠本体の底板の上面に沿って折り畳まれると共に枠本体の底板の底面に枠本体の後板が枠本体の底板の底面に沿って折り畳まれ、上記天板体の上面の前部及び後部に凹状溝部が形成され、上記各枠本体の底板の底面に該凹状溝部に嵌合可能な嵌合凸部が形成され、さらに、上記各枠本体の上記底板の前端部及び上記左右の側板の各前端部に着脱自在に嵌合可能な四角枠状の補強枠を設けてなることを特徴とする収納ケースにある。
【０００８】
又、請求項４記載の考案は、上記各引出体の底板の左右辺部に上記引出体の左右の側板が起立状態と該引出体の底板の上面に沿った倒伏状態とに折畳自在に配置され、かつ、上記各引出体の底板の後辺部に上記引出体の後板が起立状態と該引出体の底板の上面に沿った倒伏状態とに折畳自在に配置され、さらに、上記各引出体の底板の前辺部に上記引出体の前板が起立状態と該引出体の底板の上面に沿った倒伏状態とに折畳自在に配置され、上記各引出体の底板の上面に上記引出体の左右の側板が該引出体の底板の上面に沿って折り畳まれると共に該引出体の底板の上面に沿って折り畳まれた上記引出体の左右の側板の上面に上記引出体の前板及び後板が該引出体の底板の上面に沿って折り畳まれてなることを特徴とするものである。
【考案の効果】
【０００９】
本考案は上述の如く、請求項１記載の考案にあっては、運搬時や保管時等の不使用時において、上記枠本体の底板の上面に上記枠本体の左右の側板を起立状態から枠本体の底板の上面に沿った倒伏状態に折り畳むことができ、上記枠本体の上記後板を起立状態から枠本体の底板の底面に沿った倒伏状態に折り畳むことができ、不使用時において、左右の側板及び後板を折り畳むことにより底板、左右の側板、後板の四部材を略平板状に折り畳むことができ、枠本体の嵩張りを防いで収納保管スペースを軽減することができ、コンパクトに収納保管することができ、不使用時の枠本体の収納保管を容易に行うことができ、底板、左右の側板、後板は相互に連結されているので、底板、左右の側板、後板を各別に保管する必要が無く、底板、左右の側板、後板の紛失を防止することができ、底板、左右の側板、後板を相互に組み立てる必要が無く、購入後の組立作業を容易に行うことができ、老人や要介護者にとっても容易に組み立てることができ、使用の利便性を向上することができ、かつ、上記天板体の上面の前部及び後部に凹状溝部が形成され、上記枠本体の底板の底面に凹状溝部に嵌合可能な嵌合凸部が形成されているから、複数個の収納ケースの積重状態において、上記凹状溝部と上記嵌合凸部との嵌合によりそれぞれ上段の収納ケースの前側への滑り落ちを防ぐことができ、積み重ねの安定性を高めることができ、さらに、上記枠本体の上記底板の前端部及び上記左右の側板の各前端部に着脱自在に嵌合可能な四角枠状の補強枠を設けてなるから、枠本体の左右の側板の倒伏を防ぎ、左右の側板の起立状態を保持することができ、枠本体を保形することができ、枠本体を安定的に設置することができる。
【００１０】
又、請求項２記載の考案にあっては、運搬時や保管時等の不使用時において、上記引出体の底板の上面に上記引出体の左右の側板を起立状態から引出体の底板の上面に沿った倒伏状態に折り畳むことができ、引出体の底板の上面に沿って折り畳まれた上記引出体の左右の側板の上面に上記引出体の前板を起立状態から引出体の底板の上面に沿った倒伏状態に折り畳むことができ、引出体の底板の上面に沿って折り畳まれた上記引出体の左右の側板の上面に上記引出体の後板を起立状態から引出体の底板の上面に沿った倒伏状態に折り畳むことができ、不使用時において、前板、左右の側板、後板を折り畳むことにより底板、前板、左右の側板、後板の五部材を略平板状に折り畳むことができ、引出体の嵩張りを防いで収納保管スペースを軽減することができ、コンパクトに収納保管することができ、不使用時の引出体の収納保管を容易に行うことができ、かつ、底板、前板、左右の側板、後板は相互に連結されているので、底板、前板、左右の側板、後板を各別に保管する必要が無く、底板、前板、左右の側板、後板の紛失を防止することができ、底板、前板、左右の側板、後板を相互に組み立てる必要が無く、購入後の組立作業を容易に行うことができ、老人や要介護者にとっても容易に組み立てることができ、使用の利便性を向上することができる。
【００１１】
又、請求項３記載の考案にあっては、運搬時や保管時等の不使用時において、上記複数個の各枠本体の底板の上面に上記各枠本体の左右の側板を起立状態から各枠本体の底板の上面に沿った倒伏状態に折り畳むことができ、上記各枠本体の上記後板を、起立状態から各枠本体の底板の底面に沿った倒伏状態に折り畳むことができ、不使用時において、左右の側板及び後板を折り畳むことにより底板、左右の側板、後板の四部材を略平板状に折り畳むことができ、各枠本体の嵩張りを防いで収納保管スペースを軽減することができ、コンパクトに収納保管することができ、不使用時の各枠本体の収納保管を容易に行うことができ、かつ、底板、左右の側板、後板は相互に連結されているので、底板、左右の側板、後板を各別に保管する必要が無く、底板、左右の側板、後板の紛失を防止することができ、底板、左右の側板、後板を相互に組み立てる必要が無く、購入後の組立作業を容易に行うことができ、老人や要介護者にとっても容易に組み立てることができ、使用の利便性を向上することができ、かつ、上記天板体の上面の前部及び後部に凹状溝部が形成され、上記各枠本体の底板の底面に凹状溝部に嵌合可能な嵌合凸部が形成されているから、複数個の収納ケースの積重状態において、上記凹状溝部と上記嵌合凸部との嵌合によりそれぞれ上段の収納ケースの前側への滑り落ちを防ぐことができ、積み重ねの安定性を高めることができ、さらに、上記各枠本体の上記底板の前端部及び上記左右の側板の各前端部にそれぞれ着脱自在に嵌合可能な四角枠状の補強枠を設けてなるから、各枠本体の左右の側板の倒伏を防ぎ、左右の側板の起立状態を保持することができ、各枠本体を保形することができ、各枠本体を安定的に設置することができる。
【００１２】
又、請求項４記載の考案にあっては、運搬時や保管時等の不使用時において、上記複数個の各引出体の底板の上面に上記各引出体の左右の側板を起立状態から各引出体の底板の上面に沿った倒伏状態に折り畳むことができ、各引出体の底板の上面に沿って折り畳まれた上記各引出体の左右の側板の上面に上記各引出体の前板を起立状態から各引出体の底板の上面に沿った倒伏状態に折り畳むことができ、各引出体の底板の上面に沿って折り畳まれた上記各引出体の左右の側板の上面に上記各引出体の後板を起立状態から各引出体の底板の上面に沿った倒伏状態に折り畳むことができ、不使用時において、前板、左右の側板、後板を折り畳むことにより底板、前板、左右の側板、後板の五部材を略平板状に折り畳むことができ、各引出体の嵩張りを防いで収納保管スペースを軽減することができ、コンパクトに収納保管することができ、不使用時の各引出体の収納保管を容易に行うことができ、かつ、底板、前板、左右の側板、後板は相互に連結されているので、底板、前板、左右の側板、後板を各別に保管する必要が無く、底板、前板、左右の側板、後板の紛失を防止することができ、底板、前板、左右の側板、後板を相互に組み立てる必要が無く、購入後の組立作業を容易に行うことができ、老人や要介護者にとっても容易に組み立てることができ、使用の利便性を向上することができる。
【図面の簡単な説明】
【００１３】
【図１】本考案の実施の第一形態例の全体斜視図である。
【図２】本考案の実施の第一形態例の全体斜視図である。
【図３】本考案の実施の第一形態例の分離斜視図である。
【図４】本考案の実施の第一形態例の枠本体の分解斜視図である。
【図５】本考案の実施の第一形態例の枠本体の底板と側板の起立状態の部分側断面図である。
【図６】本考案の実施の第一形態例の枠本体の底板と側板の折畳状態の部分側断面図である。
【図７】本考案の実施の第一形態例の枠本体の底板と側板の分離斜視図である。
【図８】本考案の実施の第一形態例の枠本体の底板と後板の起立状態の部分側断面図である。
【図９】本考案の実施の第一形態例の枠本体の底板と後板の折返折畳状態の部分側断面図である。
【図１０】本考案の実施の第一形態例の枠本体の底板と後板の分離斜視図である。
【図１１】本考案の実施の第一形態例の枠本体の側板と天板体の部分側断面図である。
【図１２】本考案の実施の第一形態例の枠本体の側板の部分側面図である。
【図１３】本考案の実施の第一形態例の枠本体と天板体の分離斜視図である。
【図１４】本考案の実施の第一形態例の枠本体の底板、補強枠及び天板体の側断面図である。
【図１５】本考案の実施の第一形態例の補強枠と天板体の分離斜視図である。
【図１６】本考案の実施の第一形態例の枠本体の側板と補強枠の平断面図である。
【図１７】本考案の実施の第一形態例の枠本体の側板と補強枠の分離斜視図である。
【図１８】本考案の実施の第一形態例の補強枠と枠本体の底板の底面図である。
【図１９】本考案の実施の第一形態例の折畳状態の分離斜視図でである。
【図２０】本考案の実施の第一形態例の枠本体の折畳状態の説明斜視図である。
【図２１】本考案の実施の第一形態例の引出体の折畳状態の説明斜視図である。
【図２２】本考案の実施の第二形態例の全体斜視図である。
【図２３】本考案の実施の第二形態例の全体斜視図である。
【図２４】本考案の実施の第二形態例の分離斜視図である。
【図２５】本考案の実施の第二形態例の上段の枠本体の後板と下段の枠本体の後板の部分側断面図である。
【図２６】本考案の実施の第二形態例の枠本体の後板の部分側面図である。
【図２７】本考案の実施の第二形態例の上段の枠本体の側板と下段の枠本体の側板の分離斜視図である。
【図２８】本考案の実施の第二形態例の補強枠と枠本体の側板の部分側断面図である。
【図２９】本考案の実施の第二形態例の折畳状態の分離斜視図である。
【考案を実施するための形態】
【００１４】
図１乃至図２９は本考案の実施の形態例を示し、図１乃至図２１は請求項１、２の考案に対応する第一形態例、図２２乃至図２９は請求項３、４の考案に対応する第二形態例である。
【００１５】
図１乃至図２１の第一形態例において、大別して、合成樹脂製にして、図１、図２、図３の如く、枠本体１と、枠本体１の上面を覆う天板体２と、枠本体１及び天板体２からなる本体Ｄの前面の開口部を介して引出収納自在に設けられ、底板３ａ、前板３ｂ、左右の側板３ｃ・３ｃ、後板３ｄからなる上面が開口した合成樹脂製の引出体３とから構成されている。
【００１６】
この場合、上記枠本体１は、図３の如く、合成樹脂製にして、底板１ａ、左右の側板１ｂ・１ｂ、後板１ｃからなり、前面及び上面が開口した枠状に形成されている。
【００１７】
又、この場合、上記天板体２は、図３、図１１、図１２、図１３の如く、合成樹脂製にして、上記枠本体１の上面を覆って枠本体１に着脱自在に取り付けられている。なお、上記天板体２として、木板を合成樹脂製枠で覆った構造のものを採用することもある。
【００１８】
又、この場合、上記枠本体１にあっては、合成樹脂製にして、図３、図４の如く、底板１ａ、左右の側板１ｂ・１ｂ、後板１ｃからなり、図５、図６、図７の如く、上記底板１ａの左右辺部に上記枠本体１の左右の側板１ｂ・１ｂが起立状態Ｓ１ｂと枠本体１の底板１ａの上面に沿った倒伏状態Ｔ１ｂとに折畳自在に配置され、かつ、図８、図９、図１０の如く、上記枠本体１の底板１ａの後辺部に上記枠本体１の後板１ｃが起立状態Ｓ１ｃと枠本体１の底板１ａの底面に沿った倒伏状態Ｔ１ｃとに折畳自在に配置され、上記枠本体１の底板１ａの上面に枠本体１の左右の側板１ｂ・１ｂが枠本体１の底板１ａの上面に沿って折り畳まれると共に枠本体１の底板１ａの底面に枠本体１の後板１ｃが枠本体１の底板１ａの底面に沿って折り畳まれ、かつ、この場合、図２、図３の如く、上記枠本体１の上記底板１ａの前端部及び上記左右の側板１ｂ・１ｂの各前端部に着脱自在に嵌合可能な断面コ状の四角枠状の補強枠４を設け、しかして、上記枠本体１、補強枠４及び天板体２からなる本体Ｄの前面の開口部に引出体３が引出収納自在に設けられ、上記枠本体１、上記補強枠４、上記天板体２及び引出体３により収納ケースＫが形成されることになる。
【００１９】
この場合、上記枠本体１にあっては、図４、図５、図６、図７の如く、上記枠本体１の底板１ａの左右辺部の前後方向に４個宛左右計８個の嵌合凹部１ｄ・１ｄ・・を形成し、枠本体１の左右の側板１ｂ・１ｂの下部の前後方向に４個宛左右計８個の嵌合凸部１ｅ・１ｅ・・を形成し、各嵌合凸部１ｅ・１ｅ・・の両端部に支点軸部１ｆ・１ｆ・・を形成し、上記嵌合凹部１ｄ・１ｄ・・の両端部に支点穴部１ｇ・１ｇ・・を形成し、嵌合凹部１ｄ・１ｄ・・と嵌合凸部１ｅ・１ｅ・・との嵌合及び支点軸部１ｆ・１ｆ・・と支点穴部１ｇ・１ｇ・・との軸装により上記枠本体１の左右の側板１ｂ・１ｂが起立状態Ｓ１ｂと枠本体１の底板１ａの上面に沿った倒伏状態Ｔ１ｂとに折畳自在に配置されている。
【００２０】
かつ、この場合、図８、図９、図１０の如く、上記枠本体１の底板１ａの後辺部の左右両端部に支点軸部１ｆ・１ｆ・・を形成し、上記枠本体１の後板１ｃの下部の左右両端部に支点穴部１ｇ・１ｇ・・を形成し、支点軸部１ｆ・１ｆ・・と支点穴部１ｇ・１ｇ・・との軸装により上記枠本体１の後板１ｃが起立状態Ｓ１ｃと途中位置Ｍを経た枠本体１の底板１ａの底面に沿った倒伏状態Ｔ１ｃとに折畳自在に配置され、しかして、上記枠本体１の底板１ａの上面に枠本体１の左右の側板１ｂ・１ｂが枠本体１の底板１ａの上面に沿って折り畳まれると共に枠本体１の底板１ａの底面に枠本体１の後板１ｃが途中位置Ｍを経て枠本体１の底板１ａの底面に沿って折り畳まれるように構成している。
【００２１】
又、この場合、図１４、図１５、図１６、図１７、図１８の如く、上記枠本体１の底板１ａの前端部及び上記左右の側板１ｂ・１ｂの前端部に嵌合部Ｅを形成し、上記底面部、左右の両側部及び上面部からなる四角枠状の断面コ状の補強枠４の底面部、左右の両側部に断面コ状の嵌合溝部Ｑを形成し、嵌合部Ｅと嵌合溝部Ｑとの嵌合作用により底板１ａと左右の側板１ｂ・１ｂとのコ形状を保形して側板１ｂ・１ｂの起立状態Ｓ１ｂを保持し、側板１ｂ・１ｂの倒伏を防ぎ、かつ、上記枠本体１の上記底板１ａの前端部の底面に掛止爪部１ｈを３個形成し、上記四角枠状の断面コ状の補強枠４の底面部に掛止溝部１ｉ・・を３個形成し、上記枠本体１の上記左右の側板１ｂ・１ｂの前端部に上下方向に３個宛計６個の掛止溝部１ｉ・・を形成し、補強枠４の左右両側部内面に掛止爪部１ｈを３個宛計６個形成し、上記枠本体１の底板１ａの前端部及び上記左右の側板１ｂ・１ｂの各前端部に四角枠状の補強枠４を着脱自在に嵌合して構成している。
【００２２】
又、この場合、上記引出体３にあっては、合成樹脂製にして、図２、図１９の如く、底板３ａ、前板３ｂ、左右の側板３ｃ・３ｃ、後板３ｄからなり、上記引出体３の上記底板３ａの左右辺部に上記引出体３の左右の側板３ｃ・３ｃが起立状態Ｓ３ｃと引出体３の底板３ａの上面に沿った倒伏状態Ｔ３ｃとに折畳自在に配置され、かつ、上記引出体３の底板３ａの後辺部に上記引出体３の後板３ｄが起立状態Ｓ３ｄと引出体３の底板３ａの上面に沿った倒伏状態Ｔ３ｄとに折畳自在に配置され、さらに、上記引出体３の底板３ａの前辺部に上記引出体３の前板３ｂが起立状態Ｓ３ｂと引出体３の底板３ａの上面に沿った倒伏状態Ｔ３ｂとに折畳自在に配置され、図１９、図２１の如く、上記引出体３の底板３ａの上面に上記引出体３の左右の側板３ｃ・３ｃが引出体３の底板３ａの上面に沿って折り畳まれると共に引出体３の底板３ａの上面に沿って折り畳まれた上記引出体３の左右の側板３ｃ・３ｃの上面に上記引出体３の前板３ｂ及び後板３ｄが引出体３の底板３ａの上面に沿って折り畳まれることになる。
【００２３】
この場合、図２、図１９の如く、上記引出体３の前板３ｂの上辺部及び下辺部に上取手部ＨＵ及び下取手部ＨＤが形成されている。
【００２４】
又、この場合、上記天板体２にあっては、上記枠本体１の上面を覆って枠本体１に着脱自在に取り付けられ、図３、図１１、図１２、図１３、図１４、図１５の如く、枠本体１の左右の側板１ｂ・１ｂ及び後板１ｃの上端面に弾性爪部１ｊを９個形成し、天板体２の裏面に掛止爪部１ｋを９個形成し、弾性爪部１ｊと掛止爪部１ｋとの掛止作用により枠本体１の左右の側板１ｂ・１ｂ及び後板１ｃを天板体２に着脱自在に形成し、かつ、上記補強枠４の上面部に突出爪部１ｌを３個形成し、天板体２の裏面に係止溝部１ｍを３個形成し、突出爪部１ｌと係止溝部１ｍとの係止作用により補強枠４と天板体２とを着脱自在に構成している。
【００２５】
５・５は凹状溝部であって、図１、図２、図８、図９、図１８の如く、上記天板体２の上面の前部及び後部に形成され、枠本体１の底板１ａの底面に凹状溝部５・５に嵌合可能な前後一対宛の計４個の嵌合凸部６・６・・が形成され、収納ケースＫの積重状態において、下段の天板体２の凹状溝部５・５内に上段の枠本体１の嵌合凸部６・６・・が嵌合し、収納ケースＫの滑落を防いで複数の収納ケースＫ・Ｋ・・の積重状態の安定化を図るように構成している。
【００２６】
この実施の第一形態例は上記構成であるから、枠本体１にあっては、運搬時や保管時等の不使用時において、図１９、図２０の如く、上記枠本体１の底板１ａの上面に上記枠本体１の左右の側板１ｂ・１ｂを起立状態Ｓ１ｂから枠本体１の底板１ａの上面に沿った倒伏状態Ｔ１ｂに折り畳むことができ、上記枠本体１の上記後板１ｃを図８及び図９の起立状態Ｓ１ｃから枠本体１の底板１ａの底面に沿った倒伏状態Ｔ１ｃに図８の途中位置Ｍを介して折り畳むことができ、上記枠本体１の底板１ａの上面に左右の側板１ｂ・１ｂが底板１ａの上面に沿って折り畳まれると共に枠本体１の底板１ａの底面に後板１ｃが底板１ａの底面に沿って折り畳まれ、すなわち、図２０中（イ）・（ロ）・（ハ）・（ニ）の如く、（イ）の使用時の展開状態から（ニ）の不使用時の折畳状態に折り畳むことができ、使用時においては、（ニ）の不使用時の折畳状態から（イ）の使用時の展開状態に展開することができ、不使用時において、左右の側板１ｂ・１ｂ及び後板１ｃを折り畳むことにより底板１ａ、左右の側板１ｂ・１ｂ、後板１ｃの四部材を略平板状に折り畳むことができ、枠本体１の嵩張りを防いで収納保管スペースを軽減することができ、コンパクトに収納保管することができ、不使用時の枠本体１の収納保管を容易に行うことができ、かつ、底板１ａ、左右の側板１ｂ・１ｂ、後板１ｃは相互に連結されているので、底板１ａ、左右の側板１ｂ・１ｂ、後板１ｃを各別に保管する必要が無く、底板１ａ、左右の側板１ｂ・１ｂ、後板１ｃの紛失を防止することができ、底板１ａ、左右の側板１ｂ・１ｂ、後板１ｃを相互に組み立てる必要が無く、購入後の組立作業を容易に行うことができ、老人や要介護者にとっても容易に組み立てることができ、使用の利便性を向上することができ、かつ、この場合、上記天板体２の上面の前部及び後部に凹状溝部５・５が形成され、上記枠本体１の底板１ａの底面に凹状溝部５・５に嵌合可能な嵌合凸部６・６・・が形成されているから、例えば、図示省略の複数個の収納ケースＫ・Ｋ・・を積み重ねた積重状態において、上記凹状溝部５・５・・と上記嵌合凸部６・６・・との嵌合によりそれぞれ上段の収納ケースＫの前側への滑り落ちを防ぐことができ、積み重ねの安定性を高めることができ、さらに、この場合、図３、図１４、図１５、図１６、図１７、図１８の如く、上記枠本体１の上記底板１ａの前端部及び上記左右の側板１ｂ・１ｂの各前端部に着脱自在に嵌合可能な四角枠状の補強枠４を設けてなるから、枠本体１の左右の側板１ｂ・１ｂの倒伏を防ぎ、左右の側板１ｂ・１ｂの起立状態Ｓ１ｂを保持することができ、枠本体１を保形することができ、枠本体１を安定的に設置することができる。
【００２７】
この場合、図１９、図２１の如く、引出体３にあっては、運搬時や保管時等の不使用時において、上記引出体３の底板３ａの上面に上記引出体３の左右の側板３ｃ・３ｃを起立状態Ｓ３ｃから引出体３の底板３ａの上面に沿った倒伏状態Ｔ３ｃに折り畳むことができ、引出体３の底板３ａの上面に沿って折り畳まれた上記引出体３の左右の側板３ｃ・３ｃの上面に上記引出体３の前板３ｂを起立状態Ｓ３ｂから引出体３の底板３ａの上面に沿った倒伏状態Ｔ３ｂに折り畳むことができ、引出体３の底板３ａの上面に沿って折り畳まれた上記引出体３の左右の側板３ｃ・３ｃの上面に上記引出体３の後板３ｄを起立状態Ｓ３ｄから引出体３の底板３ａの上面に沿った倒伏状態Ｔ３ｄに折り畳むことができ、上記引出体３の底板３ａの上面に左右の側板３ｃ・３ｃが底板３ａの上面に沿って折り畳まれると共に引出体３の底板３ａの上面に前板３ｂ及び後板３ｄが底板３ａの上面に沿って折り畳まれ、すなわち、図２１中（イ）・（ロ）・（ハ）の如く、（イ）の使用時の展開状態から（ハ）の不使用時の折畳状態に折り畳むことができ、使用時においては、（ハ）の不使用時の折畳状態から（イ）の使用時の展開状態に展開することができ、不使用時において、前板３ｂ、左右の側板３ｃ・３ｃ、後板３ｄを折り畳むことにより底板３ａ、前板３ｂ、左右の側板３ｃ・３ｃ、後板３ｄの五部材を略平板状に折り畳むことができ、引出体３の嵩張りを防いで収納保管スペースを軽減することができ、コンパクトに収納保管することができ、不使用時の引出体３の収納保管を容易に行うことができ、かつ、底板３ａ、前板３ｂ、左右の側板３ｃ・３ｃ、後板３ｄは相互に連結されているので、底板３ａ、前板３ｂ、左右の側板３ｃ・３ｃ、後板３ｄを各別に保管する必要が無く、底板３ａ、前板３ｂ、左右の側板３ｃ・３ｃ、後板３ｄの紛失を防止することができ、底板３ａ、前板３ｂ、左右の側板３ｃ・３ｃ、後板３ｄを相互に組み立てる必要が無く、購入後の組立作業を容易に行うことができ、老人や要介護者にとっても容易に組み立てることができ、使用の利便性を向上することができる。
【００２８】
図２２乃至図２９の第二形態例は別例構造を示し、上記第一形態例と同様な同一態様部分には同一の符号を付して説明すると、この場合、図２２、図２３、図２４の如く、上記第一形態例と同様な底板１ａ、左右の側板１ｂ・１ｂ、後板１ｃからなる前面及び上面が開口した上下に積み重ね可能な２個の合成樹脂製の枠本体１・１と、積み重ねられた最上位の枠本体１の上面を覆う上記第一形態例と同様な合成樹脂製の天板体２と、２個の枠本体１・１及び天板体２からなる本体Ｄの前面の２個の開口部を介してそれぞれ引出収納自在に設けられ、上面が開口した２個の合成樹脂製の引出体３・３とからなり、上記２個の引出体３・３は上記第一形態例と同様に折畳自在に形成され、上記第一形態例と同様に、図１４、図１５、図１６、図１７、図１８の如く、上記各枠本体１・１の上記底板１ａの前端部及び上記左右の側板１ｂ・１ｂの各前端部に四角枠状の補強枠４を着脱自在に嵌合し、さらに、この場合、下段の枠本体１及び補強枠４と上段の枠本体１及び補強枠４とは、図２４、図２５、図２６、図２７の如く、上記第一形態例における天板体２と枠本体１との着脱構造と同様な着脱構造が採用され、上記第一形態例の上記図１１、図１２、図１３、図１４、図１５の構造が採用され、下段の枠本体１の左右の側板１ｂ・１ｂ及び後板１ｃの上端面に弾性爪部１ｊを９個形成し、上段の枠本体１の裏面に掛止爪部１ｋを９個形成し、弾性爪部１ｊと掛止爪部１ｋとの掛止作用により下段の枠本体１の左右の側板１ｂ・１ｂ及び後板１ｃを上段の枠本体１に着脱自在に形成し、かつ、上記下段の補強枠４の上面部に突出爪部１ｌを３個形成し、上段の枠本体１の底板１ａの底面に係止溝部１ｍを３個形成し、突出爪部１ｌと係止溝部１ｍとの係止作用により下段の補強枠４と上段の枠本体１とを着脱自在に構成している。
【００２９】
かつ、この場合、上記第一形態例と同様に、図５、図６、図７の如く、上記各枠本体１・１の底板１ａの左右辺部に上記左右の側板１ｂ・１ｂが起立状態Ｓ１ｂと底板１ａの上面に沿った倒伏状態Ｔ１ｂとに折畳自在に配置され、かつ、上記第一形態例と同様に、図８、図９、図１０の如く、上記枠本体１・１の底板１ａの後辺部に上記後板１ｃが起立状態Ｓ１ｃと底板１ａの底面に沿った倒伏状態Ｔ１ｃとに折畳自在に配置され、上記各枠本体１・１の底板１ａの上面に左右の側板１ｂ・１ｂが底板１ａの上面に沿って折り畳まれると共に各枠本体１・１の底板１ａの底面に後板１ｃが底板１ａの底面に沿って折り畳まれ、さらに、図２８の如く、上記第一形態例の図１４、図１５、図１６、図１７、図１８と同様に、上記各枠本体１・１の底板１ａの前端部及び上記左右の側板１ｂ・１ｂの各前端部に四角枠状の補強枠４を着脱自在に嵌合し、所謂、二段式の収納ケースＫとして構成している。
【００３０】
かつ、この場合、上記天板体２にあっては、上記最上位の枠本体１の上面を覆って枠本体１に着脱自在に取り付けられ、上記第一形態例と同様な図１１、図１２、図１３、図１４、図１５の如く、枠本体１の左右の側板１ｂ・１ｂ及び後板１ｃの上端面に弾性爪部１ｊを９個形成し、天板体２の裏面に掛止爪部１ｋを９個形成し、弾性爪部１ｊと掛止爪部１ｋとの掛止作用により枠本体１の左右の側板１ｂ・１ｂ及び後板１ｃを天板体２に着脱自在に形成し、かつ、上記補強枠４の上面部に突出爪部１ｌを３個形成し、天板体２の裏面に係止溝部１ｍを３個形成し、突出爪部１ｌと係止溝部１ｍとの係止作用により補強枠４と天板体２とを着脱自在に構成している。
【００３１】
又、この場合、上記第一形態例と同様に、図２２、図２、図８、図１８の如く、上記天板体２の上面の前部及び後部には凹状溝部５・５が形成され、枠本体１の底板１ａの底面に前後一対宛の計４個の嵌合凸部６・６・・が形成され、収納ケースＫの積重状態において、下段の天板体２の凹状溝部５・５内に上段の枠本体１の嵌合凸部６・６・・が嵌合し、収納ケースＫの滑落を防いで複数の収納ケースＫ・・の積重状態の安定化を図るように構成している。
【００３２】
この実施の第二形態例にあっても、上記第一形態例と同様に、各枠本体１・１にあっては、運搬時や保管時等の不使用時において、図２９の如く、上記２個の各枠本体１・１の底板１ａの上面に上記各枠本体１・１の左右の側板１ｂ・１ｂを起立状態Ｓ１ｂから各枠本体１・１の底板１ａの上面に沿った倒伏状態Ｔ１ｂに折り畳むことができ、上記各枠本体１・１の上記後板１ｃを第一形態例と同様に、図８及び図９の起立状態Ｓ１ｃから各枠本体１・１の底板１ａの底面に沿った倒伏状態Ｔ１ｃに図８の途中位置Ｍを介して折り畳むことができ、上記各枠本体１・１の底板１ａの上面に左右の側板１ｂ・１ｂが底板１ａの上面に沿って折り畳まれると共に各枠本体１・１の底板１ａの底面に後板１ｃが底板１ａの底面に沿って折り畳まれ、すなわち、第一形態例と同様に、図２０中（イ）・（ロ）・（ハ）・（ニ）の如く、（イ）の使用時の展開状態から（ニ）の不使用時の折畳状態に折り畳むことができ、使用時においては、（ニ）の不使用時の折畳状態から（イ）の使用時の展開状態に展開することができ、不使用時において、左右の側板１ｂ・１ｂ及び後板１ｃを折り畳むことにより底板１ａ、左右の側板１ｂ・１ｂ、後板１ｃの四部材を略平板状に折り畳むことができ、各枠本体１・１の嵩張りを防いで収納保管スペースを軽減することができ、コンパクトに収納保管することができ、不使用時の各枠本体１・１の収納保管を容易に行うことができ、かつ、底板１ａ、左右の側板１ｂ・１ｂ、後板１ｃは相互に連結されているので、底板１ａ、左右の側板１ｂ・１ｂ、後板１ｃを各別に保管する必要が無く、底板１ａ、左右の側板１ｂ・１ｂ、後板１ｃの紛失を防止することができ、底板１ａ、左右の側板１ｂ・１ｂ、後板１ｃを相互に組み立てる必要が無く、購入後の組立作業を容易に行うことができ、老人や要介護者にとっても容易に組み立てることができ、使用の利便性を向上することができ、かつ、上記天板体２の上面の前部及び後部に凹状溝部５・５が形成され、上記各枠本体１・１の底板１ａの底面に凹状溝部５・５に嵌合可能な嵌合凸部６・６・・が形成されているから、例えば、図示省略の複数個の収納ケースＫ・Ｋ・・を積み重ねた積重状態において、上記凹状溝部５・５・・と上記嵌合凸部６・６・・との嵌合によりそれぞれ上段の収納ケースＫの前側への滑り落ちを防ぐことができ、積み重ねの安定性を高めることができ、さらに、図２４、図２８の如く、上記第一形態例と同様に、上記各枠本体１・１の上記底板１ａの前端部及び上記左右の側板１ｂ・１ｂの各前端部にそれぞれ着脱自在に嵌合可能な四角枠状の補強枠４・４を設けてなるから、各枠本体１・１の左右の側板１ｂ・１ｂの倒伏を防ぎ、左右の側板１ｂ・１ｂの起立状態Ｓ１ｂを保持することができ、各枠本体１・１を保形することができ、各枠本体１・１を安定的に設置することができる。
【００３３】
この場合、上記各引出体３・３にあっては、運搬時や保管時等の不使用時において、図２９及び上記第一形態例の図１９、図２１の如く、上記２個の各引出体３・３の底板３ａの上面に上記各引出体３・３の左右の側板３ｃ・３ｃを起立状態Ｓ３ｃから各引出体３・３の底板３ａの上面に沿った倒伏状態Ｔ３ｃに折り畳むことができ、上記第一形態例と同様に、各引出体３・３の底板３ａの上面に沿って折り畳まれた上記各引出体３・３の左右の側板３ｃ・３ｃの上面に上記各引出体３・３の前板３ｂを起立状態Ｓ３ｂから各引出体３・３の底板３ａの上面に沿った倒伏状態Ｔ３ｂに折り畳むことができ、上記第一形態例と同様に、各引出体３・３の底板３ａの上面に沿って折り畳まれた上記各引出体３・３の左右の側板３ｃ・３ｃの上面に上記各引出体３・３の後板３ｄを起立状態Ｓ３ｄから各引出体３・３の底板３ａの上面に沿った倒伏状態Ｔ３ｄに折り畳むことができ、上記各引出体３・３の底板３ａの上面に左右の側板３ｃ・３ｃが底板３ａの上面に沿って折り畳まれると共に各引出体３・３の底板３ａの上面に前板３ｂ及び後板３ｄが底板３ａの上面に沿って折り畳まれ、すなわち、上記第一形態例と同様に、図２１中（イ）・（ロ）・（ハ）の如く、（イ）の使用時の展開状態から（ハ）の不使用時の折畳状態に折り畳むことができ、使用時においては、（ハ）の不使用時の折畳状態から（イ）の使用時の展開状態に展開することができ、不使用時において、前板３ｂ、左右の側板３ｃ・３ｃ、後板３ｄを折り畳むことにより底板３ａ、前板３ｂ、左右の側板３ｃ・３ｃ、後板３ｄの五部材を略平板状に折り畳むことができ、各引出体３・３の嵩張りを防いで収納保管スペースを軽減することができ、コンパクトに収納保管することができ、不使用時の各引出体３・３の収納保管を容易に行うことができ、かつ、底板３ａ、前板３ｂ、左右の側板３ｃ・３ｃ、後板３ｄは相互に連結されているので、底板３ａ、前板３ｂ、左右の側板３ｃ・３ｃ、後板３ｄを各別に保管する必要が無く、底板３ａ、前板３ｂ、左右の側板３ｃ・３ｃ、後板３ｄの紛失を防止することができ、底板３ａ、前板３ｂ、左右の側板３ｃ・３ｃ、後板３ｄを相互に組み立てる必要が無く、購入後の組立作業を容易に行うことができ、老人や要介護者にとっても容易に組み立てることができ、使用の利便性を向上することができる。
【００３４】
尚、本考案は上記実施の形態例のものに限られず、例えば、枠本体１の数、段数、大きさ、天板体２の形状、引出体３の個数、補強枠４、凹状溝部５、嵌合凸部６の構造等は用途に応じて定められるものである。
【００３５】
以上の如く、所期の目的を充分達成することができる。
【符号の説明】
【００３６】
Ｋ    収納ケース
Ｄ    本体
Ｓ３ｂ    起立状態
Ｔ３ｂ    倒伏状態
Ｓ３ｃ    起立状態
Ｔ３ｃ    倒伏状態
Ｓ３ｄ    起立状態
Ｔ３ｄ    倒伏状態
Ｓ１ｂ    起立状態
Ｔ１ｂ    倒伏状態
Ｓ１ｃ    起立状態
Ｔ１ｃ    倒伏状態
１    枠本体
１ａ    底板
１ｂ    側板
１ｃ    後板
２    天板体
３    引出体
３ａ    底板
３ｂ    前板
３ｃ    側板
３ｄ    後板
４    補強枠
５    凹状溝部
６    嵌合凸部
【図１】
0003224228.tif 000003
【図２】
0003224228.tif 000004
【図３】
0003224228.tif 000005
【図４】
0003224228.tif 000006
【図５】
0003224228.tif 000007
【図６】
0003224228.tif 000008
【図７】
0003224228.tif 000009
【図８】
0003224228.tif 000010
【図９】
0003224228.tif 000011
【図１０】
0003224228.tif 000012
【図１１】
0003224228.tif 000013
【図１２】
0003224228.tif 000014
【図１３】
0003224228.tif 000015
【図１４】
0003224228.tif 000016
【図１５】
0003224228.tif 000017
【図１６】
0003224228.tif 000018
【図１７】
0003224228.tif 000019
【図１８】
0003224228.tif 000020
【図１９】
0003224228.tif 000021
【図２０】
0003224228.tif 000022
【図２１】
0003224228.tif 000023
【図２２】
0003224228.tif 000024
【図２３】
0003224228.tif 000025
【図２４】
0003224228.tif 000026
【図２５】
0003224228.tif 000027
【図２６】
0003224228.tif 000028
【図２７】
0003224228.tif 000029
【図２８】
0003224228.tif 000030
【図２９】
0003224228.tif 000031